(57)【要約】      （修正有）【課題】小型でありながら、横方向にも縦方向にも針止めすることができるホチキスを提供することを課題とする。【解決手段】通常、押圧腕１と伴に底台の端部に枢設されている針収納台２を枢設軸４から解放し、押圧腕１先端の近傍に設置された回転軸７部材を軸心にして前記針収納台を略水平方向に回転可能とすることにより、横方向にも縦方向にも針止めすることができるようにした。これに伴い、従来は押圧腕１に着接された板バネ５の先端部に下方向に設置されていた針押出板６についても、板バネ５から分離し、針収納台２に枢設する構成とした。さらに、底台の先端部分に設置されている針受板３１の窪みについても、横方向だけではなく、縦方向にも施設し、針受板３１が縦方向の針止めにも対応できるようにした。【選択図】図２
0003186411.tif 000002
【実用新案登録請求の範囲】
【請求項１】
手動のホチキスであって、押圧腕と、針収納台と、底台と、を有し、前記針収納台は回転軸部材によって前記押圧腕に枢設され、前記回転軸部材を軸心にして略水平方向に回転することを特徴とするホチキス。
【請求項２】
前記針収納台に載置された針塊の先端に位置する針を下押して排出するための針押出片が前記針収納台に枢設されていることを特徴とする請求項１記載のホチキス。
【請求項３】
前記底台の一部である針受板に施設される線状の針受用窪みが、少なくとも底台長手方向及び底台短手方向の両方向に施設されていることを特徴とする請求項１又は請求項２記載のホチキス。
【考案の詳細な説明】
【技術分野】
【０００１】
本考案は、ホチキスに関する。
【背景技術】
【０００２】
通常、掌サイズの小型ホチキスは、押圧腕、針収納台、底台の３大部品で構成される。押圧腕の裏側には、押圧後に押圧腕と針収納台の位置を元に戻すための板バネが着接されており、該板バネの先端部に下垂直方向に設置された針押出板が、押圧時に、針収納台に載置された針塊の先端に位置する針を下押しすることにより、針が一つずつ針収納台の先端部から排出され、底台先端部の針受板の上にセットされた紙を装丁する仕組みとなっている。
【０００３】
上記の構造において、押圧腕と針収納台は一端において底台の根端部に同一軸によって枢設されているため、針止めの角度は変えることができない。通常、この針止めの角度は、ホチキスの長手方向に対して直角、すなわち横方向に固定されている。それに伴い、底台の先端に設置されている針受板の窪みも横方向のみになっている。
【０００４】
したがって、上記構造の小型ホチキスでは縦方向に針止めをすることができず、小冊子の作成時等に中綴じをするためには、高価な専用ホチキスを購入する必要がある。
【考案の概要】
【考案が解決しようとする課題】
【０００５】
新聞等の綴じられていない大判の印刷物は、読書中に紙合わせがずれてきて持ちにくくなり、揃え直すのが面倒である。このような場合、身近の小型ホチキスによって新聞の上端近傍と下端近傍の折目上を縦に中綴じすることができれば、読書時に紙がずれる煩わしさが解消する。しかし、上述の構造を有する小型ホチキスは針止めの角度が横に固定されているため、折目に沿って縦方向に針止めをすることができない。
【０００６】
また、紙１枚で２ページの構成となっている小冊子を作成し、ホチキスで閉じる際には、紙をそろえて中央で二つ折りにしたものを、折り目から幾分離れた箇所を針止めすることになるため、針は紙の枚数の倍の厚さを綴じることになるうえ、綴じた小冊子を強い力で開くと針が外れてバラバラになってしまうこともある。このような場合にも、重ねた紙を折る前に、中央の折目上を中綴じすることができれば、上述のような問題は解決するが、そのためには高価な専用ホチキスを必要とする。
【０００７】
本考案に係るホチキスは、上記問題点に鑑み、小型でありながら、横方向にも縦方向にも針止めすることができるホチキスを提供することを課題とする。
【課題を解決するための手段】
【０００８】
上記課題を解決するため、本考案に係るホチキスは、通常、押圧腕と伴に底台の端部に枢設されている針収納台を枢設軸から解放し、押圧腕先端の近傍に設置された回転軸部材を軸心にして前記針収納台を略水平方向に回転可能とすることにより、横方向にも縦方向にも針止めすることができるようにした。
【０００９】
上記の構成とすることに伴い、従来は押圧腕に着接された板バネの先端部に下方向に設置されていた針押出板についても、板バネから分離し、針収納台に枢設する構成とした。
【００１０】
さらに、底台の先端部分に設置されている針受板の窪みについても、横方向だけではなく、縦方向にも設置し、針受板が縦方向の針止めにも対応できるようにした。
【考案の効果】
【００１１】
高価な専用ホチキスを使用することなく、新聞等の綴じられていない大判の印刷物を中綴じすることができるようになる。
【００１２】
小冊子の作成に際し、重ねた紙を折る前に、中央の折目上を中綴じすることができるようになる。
【図面の簡単な説明】
【００１３】
【図１】通常の小型ホチキスの縦断面図である。
【図２】本考案のホチキスの縦断面図である。
【図３】針収納台枢設部分の縦断面拡大図である。（Ａ）横に針止めをするときの針収納台の方向を示す。（Ｂ）縦に針止めをするときの針収納台の方向を示す。
【図４】本考案のホチキスの、横に針止めをするときの斜視図である。
【図５】本考案のホチキスの、縦に針止めをするときの斜視図である。
【考案を実施するための形態】
【００１４】
本考案のホチキスの実施形態の一例を、図面を参照して説明する。
【００１５】
通常の小型ホチキスは図１に示すように、押圧腕１・針収納台２・底台３が同一の枢設軸４によって枢設されている。押圧腕１の下裏には押圧後の腕を元に戻すための板バネ５が着接されており、板バネ５の先端部には針押出板６が下方向に設置されている。針止めの動作としては、針押出板６が針収納台２に載置された針塊８の先頭の針８１を上方向から押圧することにより、針受板３１の上で紙が装丁される構造になっている。
【００１６】
上記の構造のもとでは、押圧腕１・針収納台２・底台３が重なり、同一方向における上下運動しかできないため、針止めの角度は常にホチキスの長手方向に対して直角となり、横に針止めをすることしかできない。
【００１７】
これに対して、本考案に係るホチキスでは、図２に示すように、従来、底台３に枢設されていた針収納台２を底台３から解放し、押圧腕１の先端下部に枢設する構造となっている。また、従来押圧腕１に着接された板バネ５の先端部に下方向に設置されていた針押出板６についても、板バネ５から分離し、針収納台２に枢設した。
【００１８】
図３は、針収納台２の枢設部分の縦断面拡大図である。針収納台２と針押出板６は押圧腕１の先端下部に設置された回転軸７を軸心として略水平方向に回転可能となっている。（Ａ）が横に針止めをするときの針収納台２の方向を、（Ｂ）が縦に針止めをするときの針収納台２の方向を、それぞれ示す。
【００１９】
図４は図３（Ａ）に対応する状態のホチキスの斜視図であり、針収納台２と押圧腕１が長手方向に重なる位置においては横方向に針止めができることを示す。また、図５は図３（Ｂ）に対応する状態のホチキスの斜視図であり、針収納台２と押圧腕１の長手方向がなす角度が９０度のときは、縦方向に針止めができることを示す。
【００２０】
これに伴い、底台３の一部である針受板３１に施設される線状の針受用窪み３２についても、図２及び図３に示すように、横打ちと縦打ちの両方に対応できるように施設されている。
【００２１】
本考案の有する多くの特徴、及び優れた点を、考案の構造と機能の詳細をあげて上記実施形態に記載したが、本考案は、本考案の原理の範囲内で、本願の実用新案登録請求の範囲で使用されている言葉を広く一般的な意味にまで広げて、細かな点、特に形状、大きさ及び部品の配置・数を変更しての実施が可能である。
【符号の説明】
【００２２】
１    押圧腕
２    針収納台
３    底台
３１  針受板
３２  窪み
４    枢設軸
５    板バネ
６    針押出板
７    回転軸
８    針塊
８１  先頭の針
【図１】
0003186411.tif 000003
【図２】
0003186411.tif 000004
【図３】
0003186411.tif 000005
【図４】
0003186411.tif 000006
【図５】
0003186411.tif 000007